(57)【要約】  【課題】  様々な配置態様で様々な箇所からコードを引き出すことができ、しかもこれを、シンプルな構造の共用部品により実現できるコード巻き取り装置を提供する。  【解決手段】  コード巻き取り装置２０は、回転不能な取付軸２１と、取付軸２１に回転自在に支持されるコードリール２２と、コードリール２２に巻き付けられるコード２３と、コードリール２２の一方の側面に形成されたゼンマイバネ収納凹所２４に収納されたゼンマイバネ２５とを備える。ゼンマイバネ２５は内端を取付軸２１に係合させ、外端をコードリール２２に係合させている。コードリール２２には、巻き方向が互いに反対のゼンマイバネ２５の外端に適合する２種類の係合部２９ａ、２９ｂが形成されている。巻き方向の異なるゼンマイバネ２５を使い分けることにより、ゼンマイバネ２５の蓄勢力によるコードリール２２の回転方向を切り替えることができる。【選択図】      図２
2006312518.tif 000002
【特許請求の範囲】
【請求項１】
回転不能な取付軸と、この取付軸に回転自在に支持されるコードリールと、内端を前記取付軸に係合させ、外端を前記コードリールに係合させたゼンマイバネと、前記コードリールに巻き付けられ、引き出されるときのコードリール回転を通じて前記ゼンマイバネを蓄勢し、この蓄勢力を解放して得られるコードリール回転により巻き取られるコードとを備えたコード巻き取り装置において、
前記ゼンマイバネの外端とこれを係合させるコードリール側の係合部とは、ゼンマイバネの巻き方向が特定方向であるときのみ係合可能な形状にするとともに、前記コードリールには、巻き方向が互いに反対のゼンマイバネの外端に適合する２種類の係合部を形成したことを特徴とするコード巻き取り装置。
【請求項２】
電気掃除機の給電用に用いられるものであることを特徴とする請求項１に記載のコード巻き取り装置。
【発明の詳細な説明】
【技術分野】
【０００１】
本発明は電気掃除機などに用いられるコード巻き取り装置に関する。
【背景技術】
【０００２】
内蔵電池でなく商用電源からの電力で駆動する電気掃除機は、室内を広く移動させるため、長いコードを必要とする。不使用時、長いコードをきちんと収納するため、電気掃除機にはゼンマイバネの力でコードを巻き取るコード巻き取り装置を配備するのが一般的である。
【０００３】
電気掃除機は機種によってコード巻き取り装置の位置や姿勢が様々に変わり、コードの引き出し方向及び引き出し位置は一様には定まらない。場合によっては、巻き方向が逆のゼンマイバネを用いる必要も生じる。そこで、共用化された部品を使いながら、コードを上側から出したり、下側から出したりすることが可能なコード巻取り装置が提案されている。特許文献１に記載されたものがそれである。
【特許文献１】特開平１１−３３５００６号公報（第４頁−第５頁、図１−図１６）
【発明の開示】
【発明が解決しようとする課題】
【０００４】
特許文献１に記載されたコード巻き取り装置は、コードリール、回転軸、ゼンマイバネ、及びバネケースの連結関係を変化させ、また回転軸とバネケースのいずれを回転不能とするかによって上側引き出しと下側引き出しを切り替えるものであって、構造が複雑であり、部品コストや組立コストの上昇を避けがたい。本発明はこの点に鑑みなされたものであり、様々な配置態様で様々な箇所からコードを引き出すことができ、しかもこれを、シンプルな構造の共用部品により実現できるコード巻き取り装置を提供することを目的とする。
【課題を解決するための手段】
【０００５】
（１）上記目的を達成するために本発明は、回転不能な取付軸と、この取付軸に回転自在に支持されるコードリールと、内端を前記取付軸に係合させ、外端を前記コードリールに係合させたゼンマイバネと、前記コードリールに巻き付けられ、引き出されるときのコードリール回転を通じて前記ゼンマイバネを蓄勢し、この蓄勢力を解放して得られるコードリール回転により巻き取られるコードとを備えたコード巻き取り装置において、前記ゼンマイバネの外端とこれを係合させるコードリール側の係合部とは、ゼンマイバネの巻き方向が特定方向であるときのみ係合可能な形状にするとともに、前記コードリールには、巻き方向が互いに反対のゼンマイバネの外端に適合する２種類の係合部を形成したことを特徴としている。
【０００６】
この構成によると、コードリールにどちらの巻き方向のゼンマイバネでも係合させられるので、部品に手を加えることなく、コードリールをどちらの方向にでもゼンマイバネの蓄勢力で回転させることができる。しかも構造は至ってシンプルであり、故障の懸念がない。
【０００７】
（２）また本発明は、上記構成のコード巻き取り装置が、電気掃除機の給電用に用いられるものであることを特徴としている。
【０００８】
この構成によると、コードリールの配置される位置と、コードの引き出される位置に応じて、コードリールの付勢回転方向を任意に設定できるから、電気掃除機の多種多様な設計に対し、コード巻き取り装置は共通仕様のもの一つで間に合わせることができる。
【発明の効果】
【０００９】
本発明によると、コードリールをどちらの方向にでもゼンマイバネの蓄勢力で回転させることのできるコード巻き取り装置を、部品を共通化したシンプルな構成で実現できる。
【発明を実施するための最良の形態】
【００１０】
以下、本発明の一実施形態を図に基づき説明する。図１は電気掃除機の概略構成図である。電気掃除機１の掃除機本体１０は電動送風機１１を内蔵し、正面側に吸込口１２を有する。吸込口１２にはサクションホース１３の一端が接続される。サクションホース１３の他端には吸気管１４が接続される。吸気管１４はサクションホース１３に接続される側の端にハンドル１５を有し、他方の端に吸込口体１６を接続する。吸込口１２から電動送風機１１に到る風路の中には前段集塵部１７と後段集塵部１８が配置される。前段集塵部１７はサイクロン方式で粗塵を捕捉するものであり、後段集塵部１８はフィルターユニット１９で細塵を捕捉するものである。
【００１１】
電動送風機１１を駆動すると吸込口体１６から気流が吸い込まれる。気流は吸気管１４からサクションホース１３を経て前段集塵部１７に入り、そこで高速旋回して粗塵を遠心分離する。粗塵を分離した気流は後段集塵部１８のフィルターユニット１９で細塵を捕捉された後、電動送風機１１に吸い込まれ、掃除機本体１０に設けた図示しない排気口より排出される。前段集塵部１７の容器に塵埃が溜まったときは容器を取り出して塵埃を捨てる。後段集塵部１８のフィルターユニット１９が目詰まりしたときはフィルターユニット１９を取り出して目詰まりを解消する。
【００１２】
掃除機本体１０の内部には、電動送風機１１に給電するコードを巻き取るコード巻き取り装置２０が電動送風機１１に並ぶ形で配設されている。最初に、従来のコード巻き取り装置がどのような構造を備えていたかを図９−図１５に基づき説明する。
【００１３】
図９に示すコード巻き取り装置２０は４つの主要部品を備える。その１は掃除機本体１０に回転不能に保持される取付軸２１であり、その２は取付軸２１に回転自在に支持されるコードリール２２ａであり、その３はコードリール２２ａに巻き付けられるコード２３（図１０参照）であり、その４はコードリール２２ａの一方の側面に形成したゼンマイバネ収納凹所２４に収納されるゼンマイバネ２５である。ゼンマイバネ２５は内端を取付軸２１に係合させ、外端をコードリール２２ａに係合させている。この他コード巻き取り装置２０には、コード２３を通じて供給される電流を取り出すスリップリングとブラシの組み合わせや、コードリール２２ａの巻き取り回転を止めるブレーキ装置も付属するが、これらは周知のものなので説明は省略する。
【００１４】
図９に見られるように、ゼンマイバネ２５は内端が直角に折り曲げられており、この折り曲げ部２６を取付軸２１のスリット２７に係合させている。ゼンマイバネ２５の外端にはコの字形のフック部２８が形成されており、このフック部２８を、ゼンマイバネ収納凹所２４の１箇所に形成されたノーズ状の係合部２９ａに係合させている。ゼンマイバネ２５の巻き方向は、図１１に見られるように、フック部２８を始点とした場合、時計方向である。このため、コードリール２２ａを反時計方向に回転させるとゼンマイバネ２５に復元エネルギーが蓄勢される。ゼンマイバネ２５に復元エネルギーが蓄勢された時点でコードリール２２ａのブレーキを解除すれば、ゼンマイバネ２５は蓄勢力でコードリール２２ａを時計方向に回転させ、コード２３はコードリール２２ａに巻き取られることになる。
【００１５】
ゼンマイバネ２５の巻き方向が上記のようであって、取付軸２１が水平に配置されているものとすれば、ゼンマイバネ２５に蓄勢するためのコード２３の引き出し方向は、図１２において矢印イか矢印ロのようになる。
【００１６】
コードリール２２ａをそのまま裏返すことができれば、矢印イと左右対称方向にコード２３を引き出し、また矢印ロと左右対称方向にコード２３を引き出すことが可能になる。しかしながら、コードリール２２ａの片面（ゼンマイバネ収納凹所２４のある側と反対側の面）にはスリップリングとブラシの組み合わせが置かれており、コードリール２２ａを裏返すと給電系統の設計をすべて見直す必要が生じるので、この方策は実現性に欠ける。そのため、コードリール巻き取り装置２０の構成を図１３−図１５に見られるようにして、矢印イと左右対称方向に、また矢印ロと左右対称方向にコード２３を引き出せるようにしている。
【００１７】
図１３に示すコード巻き取り装置２０は、コードリール２２ａとは構造の異なるコードリール２２ｂを有している。すなわちコードリール２２ｂには、リール回転方向に関しノーズの突出方向が係合部２９ａと逆になった係合部２９ｂが形成されている。係合部２９ｂにゼンマイバネ２５のフック部２８を係合させようとしても、フック部２８の向きが図１１のままでは係合させられない。図１４のようにゼンマイバネ２５の表裏を逆転し、フック部２８の向きを変える必要がある。すなわちコードリール２２ａの係合部２９ａにはゼンマイバネ２５の巻き方向が図１１の方向であるときのみフック部２８が係合可能であり、コードリール２２ｂの係合部２９ｂにはゼンマイバネ２５の巻き方向が図１４の方向であるときのみフック部２８が係合可能である。
【００１８】
図１４において、ゼンマイバネ２５の巻き方向は、フック部２８を始点とした場合、反時計方向である。このため、コードリール２２ｂを時計方向に回転させるとゼンマイバネ２５に復元エネルギーが蓄勢される。ゼンマイバネ２５に復元エネルギーが蓄勢された時点でコードリール２２ｂのブレーキを解除すれば、ゼンマイバネ２５は蓄勢力でコードリール２２ａを反時計方向に回転させ、コード２３はコードリール２２ａに巻き取られることになる。
【００１９】
ゼンマイバネ２５の巻き方向が上記のようであって、取付軸２１が水平に配置されているものとすれば、ゼンマイバネ２５に蓄勢するためのコード２３の引き出し方向は、図１５において、矢印ハか矢印ニのようになる。矢印ハは図１２の矢印イと左右対称方向であり、矢印ニは図１２の矢印ロと左右対称方向である。
【００２０】
本発明は、コード巻き取り装置２０において、図２に示す構造のコードリール２２を用いた点が特徴である。すなわちコードリール２２は、図１２のコードリール２２ａの係合部２９ａと、図１５のコードリール２２ｂの係合部２９ｂを一身に備える。
【００２１】
このようにコードリール２２には、巻き方向が互いに反対のゼンマイバネ２５の外端に適合する２種類の係合部２９ａ、２９ｂが形成されている。従って、図１１の巻き方向のゼンマイバネ２５をゼンマイバネ収納凹所２４に収納し、フック２８を係合部２９ａに係合させて使用することもでき、図１４の巻き方向のゼンマイバネ２５をゼンマイバネ収納凹所２４に収納し、フック２８を係合部２９ｂに係合させて使用することもできる。前者の場合、コードリール２２を反時計方向に回転させるとゼンマイバネ２５に復元エネルギーが蓄勢される。この条件に適合するコード２３の引き出し方向は矢印イ、ロである。後者の場合、コードリール２２を時計方向に回転させるとゼンマイバネ２５に復元エネルギーが蓄勢される。この条件に適合するコード２３の引き出し方向は矢印ハ、ニである。
【００２２】
上記の意味するところは、コードリール２２を構成要素とするコード巻き取り装置２０は、ゼンマイバネ収納凹所２４が掃除機本体１０の左右どちらを向いていても、下側からのコード引き出しと上側からのコード引き出しを選択できるということである。つまり図３の構成のように電動送風機１１が右側、コード巻き取り装置２０が左側の配置であって、ゼンマイバネ収納凹所２４が左側を向いている場合、図１１の巻き方向のゼンマイバネ２５を用いれば、掃除機本体１０のコード引出口３０は、図４に見られるように下側に形成されることになり、図１４の巻き方向のゼンマイバネ２５を用いれば、コード引出口３０は図５に見られるように上側に形成されることになる。また図６の構成のように電動送風機１１が左側、コード巻き取り装置２０が右側の配置であって、ゼンマイバネ収納凹所２４が右側を向いている場合、図１４の巻き方向のゼンマイバネ２５を用いれば、掃除機本体１０のコード引出口３０は、図７に見られるように下側に形成されることになり、図１１の巻き方向のゼンマイバネ２５を用いれば、コード引出口３０は図８に見られるように上側に形成されることになる。
【００２３】
このように、コードリール２２にどちらの巻き方向のゼンマイバネ２５でも係合させられるので、部品に手を加えることなく、ゼンマイバネ２５の蓄勢力でコードリール２２をどちらの方向にでも回転させることができる。
【００２４】
またゼンマイバネ２５の巻き方向について言えば、右巻きのゼンマイバネを裏返せば左巻きのゼンマイバネとして使用できるから、単一の設計のゼンマイバネ２５を図３のコード巻き取り装置２０にも図６のコード巻き取り装置２０にも使用できる。すなわちゼンマイバネ２５は汎用性を備えた部品としての位置づけが可能である。
【００２５】
以上、本発明の実施形態につき説明したが、本発明の範囲はこれに限定されるものではなく、発明の主旨を逸脱しない範囲で種々の変更を加えて実施することができる。
【産業上の利用可能性】
【００２６】
本発明は電気掃除機などに用いられるコード巻き取り装置に広く利用可能である。
【図面の簡単な説明】
【００２７】
【図１】電気掃除機の概略構成図
【図２】コードリールの正面図
【図３】コード巻き取り装置の配置例を示す掃除機本体の上面図
【図４】図３の掃除機本体のコード引出口の配置例を示す後面図
【図５】図３の掃除機本体のコード引出口の異なる配置例を示す後面図
【図６】コード巻き取り装置の他の配置例を示す掃除機本体の上面図
【図７】図６の掃除機本体のコード引出口の配置例を示す後面図
【図８】図６の掃除機本体のコード引出口の異なる配置例を示す後面図
【図９】従来のコード巻き取り装置の正面図
【図１０】図９のＡ−Ａ断面図
【図１１】ゼンマイバネの正面図
【図１２】コードリールの正面図
【図１３】従来の他のコード巻き取り装置の正面図
【図１４】ゼンマイバネの正面図
【図１５】コードリールの正面図
【符号の説明】
【００２８】
１    電気掃除機
１０  掃除機本体
１１  電動送風機
１３  サクションホース
１４  吸気管
１６  吸込口体
１７  前段集塵部
１８  後段集塵部
２０  コード巻き取り装置
２１  取付軸
２２  コードリール
２３  コード
２４  ゼンマイバネ収納凹所
２５  ゼンマイバネ
２６  折り曲げ部
２８  フック部
２９ａ、２９ｂ  係合部
【図１】
2006312518.tif 000003
【図２】
2006312518.tif 000004
【図３】
2006312518.tif 000005
【図４】
2006312518.tif 000006
【図５】
2006312518.tif 000007
【図６】
2006312518.tif 000008
【図７】
2006312518.tif 000009
【図８】
2006312518.tif 000010
【図９】
2006312518.tif 000011
【図１０】
2006312518.tif 000012
【図１１】
2006312518.tif 000013
【図１２】
2006312518.tif 000014
【図１３】
2006312518.tif 000015
【図１４】
2006312518.tif 000016
【図１５】
2006312518.tif 000017